【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
対物レンズ、及び該対物レンズを光ディスクに対して少なくとも垂直な方向に移動させる対物レンズアクチュエータを有し、前記対物レンズを移動させて該対物レンズを介して前記光ディスクに光ビームを収束照射する光ヘッド装置と、
前記光ディスクの基材表面または情報記録面に対する光ビームの焦点の位置ずれに応じたフォーカス誤差信号を生成するフォーカス誤差検出回路と、
前記フォーカス誤差検出回路によって得られる前記フォーカス誤差信号に基づいて前記対物レンズアクチュエータを制御して前記基材表面または前記情報記録面に前記光ビームの焦点位置を追従させるフォーカス制御回路と、
前記基材表面に焦点位置を追従させたときに前記対物レンズアクチュエータに印加される駆動信号である面振れ追従信号を記憶する面振れ追従信号記憶装置と、
前記光ビームの焦点位置を前記光ディスクに対して変化させるための駆動信号であるフォーカスサーチ駆動信号を発生させるフォーカスサーチ駆動信号発生回路と、
前記面振れ追従信号記憶装置に記憶された前記面振れ追従信号と前記フォーカスサーチ駆動信号発生回路が発生する前記フォーカスサーチ駆動信号とを重畳した信号を生成する重畳信号生成回路と、
前記フォーカス制御回路が前記光ディスクの前記基材表面にフォーカスサーボを引き込み、前記面振れ追従信号記憶装置が前記面振れ追従信号を記憶した後、前記重畳信号生成回路により生成された重畳信号に基づいて前記光ディスクの前記情報記録面にフォーカス引き込みを行うフォーカス引込み制御回路と、
を備えたことを特徴とする光ディスク装置。
【請求項２】
前記光ヘッド装置は、複数種類の光ディスクへの再生に対応して複数の波長の光ビームを発する光源又は波長が異なる光ビームを発する複数の光源を具備しており、
前記フォーカス制御回路は、前記光源から発せられる複数の波長の光ビームのうち、記録再生される光ディスクに対応した光ビームにおける対物レンズの焦点距離よりも長い焦点距離となる光ビームを用いて前記光ディスクの前記基材表面に前記光ビームの焦点位置を追従させる、請求項１記載の光ディスク装置。
【請求項３】
前記光ヘッド装置は、複数種類の光ディスクへの再生に対応して、複数の波長の光ビームを発する光源又は波長が異なる光ビームを発する複数の光源、および複数の対物レンズを具備しており、
フォーカス制御回路は、前記複数の光ビームを発する光源及び対物レンズのうち、記録再生される光ディスクに対応して使用される光源および対物レンズにおける対物レンズの焦点距離よりも長い焦点距離となる光ビームを発する光源および対物レンズの組み合わせを用いて前記光ディスクの基材表面に前記光ビームの焦点位置を追従させる、請求項１記載の光ディスク装置。
【請求項４】
前記対物レンズの焦点距離がより長い光ビームを発する光源は、赤色光または赤外光を発光する光源である、請求項２または３記載の光ディスク装置。
【請求項５】
前記対物レンズの焦点距離がより長くなる光ビームが通過する対物レンズの焦点距離は、前記記録再生される光ディスクの面振れ量より大きい、請求項２から４いずれか１項記載の光ディスク装置。
【請求項６】
前記フォーカス制御回路は、前記光ディスクの前記基材表面にフォーカスサーボを引き込む際、前記光ディスクの基材厚みに相当する球面収差によるフォーカスずれをあらかじめ修正した位置でフォーカスサーボを引き込む、請求項１から５いずれか１項記載の光ディスク装置。
【請求項７】
前記光ディスクの基材厚の変化により発生する球面収差を補正するためコリメータレンズを移動させる球面収差補正アクチュエータをさらに具備しており、
フォーカス引き込み制御回路は、前記光ディスクの前記基材表面にフォーカスサーボを引き込む際、前記コリメータレンズをあらかじめ前記基材厚が最も薄い場合に位置する補正位置へずらしておく、請求項１から６いずれか１項記載の光ディスク装置。
【請求項８】
請求項１から７のいずれかに記載の光ディスク装置と、
前記光ディスク装置にて再生された情報の演算を行う演算装置と、
を備えたことを特徴とする光情報機器。
【請求項９】
光ディスクに対して少なくとも垂直な方向に対物レンズアクチュエータにて対物レンズを移動させて前記光ディスクに光ビームを収束させて少なくとも情報の再生を行う光ディスク装置に備わるフォーカス引込み制御用ＬＳＩであって、
前記光ディスクの基材表面または情報記録面に対する光ビームの焦点の位置ずれに応じたフォーカス誤差信号を生成するフォーカス誤差検出部と、
前記フォーカス誤差検出部によって得られる前記フォーカス誤差信号に基づいて前記基材表面または前記情報記録面に前記光ビームの焦点位置を追従させるフォーカス制御部と、
前記基材表面に焦点位置を追従させたときに前記対物レンズアクチュエータに印加される駆動信号である面振れ追従信号を記憶する面振れ追従信号記憶部と、
前記光ビームの焦点位置を前記光ディスクに対して変化させるための駆動信号であるフォーカスサーチ駆動信号を発生させるフォーカスサーチ駆動信号発生部と、
前記面振れ追従信号記憶部に記憶された前記面振れ追従信号と前記フォーカスサーチ駆動信号発生部が発生する前記フォーカスサーチ駆動信号とを重畳した信号を生成する重畳信号生成部と、
前記フォーカス制御部が前記光ディスクの前記基材表面にフォーカスサーボを引き込み、前記面振れ追従信号記憶部が前記面振れ追従信号を記憶した後、前記重畳信号生成部により生成された重畳信号に基づいて前記光ディスクの前記情報記録面にフォーカス引き込みを行うフォーカス引込み制御部と、
を備えたことを特徴とするフォーカス引込み制御用ＬＳＩ。
【請求項１０】
前記基材表面にフォーカスサーボを引き込んだ後、前記記録再生される光ディスクに対応した光ビームを用いて、前記光ディスクの情報記録面にフォーカスサーボを引き込む、請求項２又は３に記載の光ディスク装置。
【手続補正２】
【補正対象書類名】明細書
【補正対象項目名】００２１
【補正方法】変更
【補正の内容】
【００２１】
本発明の第１態様の光ディスク装置によれば、対物レンズ、及び該対物レンズを光ディスクに対して少なくとも垂直な方向に移動させる対物レンズアクチュエータを有し、前記対物レンズを移動させて該対物レンズを介して前記光ディスクに光ビームを収束照射する光ヘッド装置と、
前記光ディスクの基材表面または情報記録面に対する光ビームの焦点の位置ずれに応じたフォーカス誤差信号を生成するフォーカス誤差検出回路と、
前記フォーカス誤差検出回路によって得られる前記フォーカス誤差信号に基づいて前記対物レンズアクチュエータを制御して前記基材表面または前記情報記録面に前記光ビームの焦点位置を追従させるフォーカス制御回路と、
前記基材表面に焦点位置を追従させたときに前記対物レンズアクチュエータに印加される駆動信号である面振れ追従信号を記憶する面振れ追従信号記憶装置と、
前記光ビームの焦点位置を前記光ディスクに対して変化させるための駆動信号であるフォーカスサーチ駆動信号を発生させるフォーカスサーチ駆動信号発生回路と、
前記面振れ追従信号記憶装置に記憶された前記面振れ追従信号と前記フォーカスサーチ駆動信号発生回路が発生する前記フォーカスサーチ駆動信号とを重畳した信号を生成する重畳信号生成回路と、
前記フォーカス制御回路が前記光ディスクの前記基材表面にフォーカスサーボを引き込み、前記面振れ追従信号記憶装置が前記面振れ追従信号を記憶した後、前記重畳信号生成回路により生成された重畳信号に基づいて前記光ディスクの前記情報記録面にフォーカス引き込みを行うフォーカス引込み制御回路と、
を備えたことを特徴とする。
【手続補正３】
【補正対象書類名】明細書
【補正対象項目名】００２２
【補正方法】変更
【補正の内容】
【００２２】
本発明の第２態様の光ディスク装置によれば、前記光ヘッド装置は、複数種類の光ディスクへの再生に対応して複数の波長の光ビームを発する光源又は波長が異なる光ビームを発する複数の光源を具備しており、
前記フォーカス制御回路は、前記光源から発せられる複数の波長の光ビームのうち、記録再生される光ディスクに対応した光ビームにおける対物レンズの焦点距離よりも長い焦点距離となる光ビームを用いて前記光ディスクの前記基材表面に前記光ビームの焦点位置を追従させるように構成しても良い。
【手続補正４】
【補正対象書類名】明細書
【補正対象項目名】００２３
【補正方法】変更
【補正の内容】
【００２３】
本発明の第３態様の光ディスク装置によれば、前記光ヘッド装置は、複数種類の光ディスクへの再生に対応して、複数の波長の光ビームを発する光源又は波長が異なる光ビームを発する複数の光源、および複数の対物レンズを具備しており、
フォーカス制御回路は、前記複数の光ビームを発する光源及び対物レンズのうち、記録再生される光ディスクに対応して使用される光源および対物レンズにおける対物レンズの焦点距離よりも長い焦点距離となる光ビームを発する光源および対物レンズの組み合わせを用いて前記光ディスクの基材表面に前記光ビームの焦点位置を追従させるように構成しても良い。
【手続補正５】
【補正対象書類名】明細書
【補正対象項目名】００２６
【補正方法】変更
【補正の内容】
【００２６】
本発明の第６態様の光ディスク装置によれば、前記フォーカス制御回路は、前記光ディスクの前記基材表面にフォーカスサーボを引き込む際、前記光ディスクの基材厚みに相当する球面収差によるフォーカスずれをあらかじめ修正した位置でフォーカスサーボを引き込むように構成しても良い。
【手続補正６】
【補正対象書類名】明細書
【補正対象項目名】００２９
【補正方法】変更
【補正の内容】
【００２９】
又、本発明の第９態様におけるフォーカス引込み制御用ＬＳＩは、光ディスクに対して少なくとも垂直な方向に対物レンズアクチュエータにて対物レンズを移動させて前記光ディスクに光ビームを収束させて少なくとも情報の再生を行う光ディスク装置に備わり、前記光ディスクの基材表面または情報記録面に対する光ビームの焦点の位置ずれに応じたフォーカス誤差信号を生成するフォーカス誤差検出部と、前記フォーカス誤差検出部によって得られる前記フォーカス誤差信号に基づいて前記基材表面または前記情報記録面に前記光ビームの焦点位置を追従させるフォーカス制御部と、前記基材表面に焦点位置を追従させたときに前記対物レンズアクチュエータに印加される駆動信号である面振れ追従信号を記憶する面振れ追従信号記憶部と、前記光ビームの焦点位置を前記光ディスクに対して変化させるための駆動信号であるフォーカスサーチ駆動信号を発生させるフォーカスサーチ駆動信号発生部と、前記面振れ追従信号記憶部に記憶された前記面振れ追従信号と前記フォーカスサーチ駆動信号発生部が発生する前記フォーカスサーチ駆動信号とを重畳した信号を生成する重畳信号生成部と、前記フォーカス制御部が前記光ディスクの前記基材表面にフォーカスサーボを引き込み、前記面振れ追従信号記憶部が前記面振れ追従信号を記憶した後、前記重畳信号生成部により生成された重畳信号に基づいて前記光ディスクの前記情報記録面にフォーカス引き込みを行うフォーカス引込み制御部とを備えた。
又、本発明の第１０態様の光ディスク装置によれば、前記基材表面にフォーカスサーボを引き込んだ後、前記記録再生される光ディスクに対応した光ビームを用いて、前記光ディスクの情報記録面にフォーカスサーボを引き込むように構成してもよい。